(57)【要約】【課題】  光透過性を確保できるようにしながら、樹脂シートの物性や厚さによらずに、防犯性の一層の向上を簡便に図れるようにする。【解決手段】  複数の板ガラス５の間に樹脂シート６ａを介在させて、接着材層を介して互いに接着してある合わせガラスＣの側辺部を、可動戸枠２ａに装着してあるガラス戸であって、ガラス面における中央部よりも不透明な不透明領域４を、合わせガラスの少なくとも一側辺部で、且つ、可動戸枠の鍵取付け部３のある側に、その長手方向に沿わせて設けてある。【選択図】        図２
2005083075.tif 000002
【特許請求の範囲】
【請求項１】
複数の板ガラスの間に樹脂シートを介在させて、接着材層を介して互いに接着してある合わせガラスの側辺部を、可動戸枠内に装着してあるガラス戸であって、
ガラス面における中央部よりも不透明な不透明領域を、前記合わせガラスの少なくとも一側辺部で、且つ、前記可動戸枠の鍵取付け部のある側に、その長手方向に沿わせて設けてあるガラス戸。
【請求項２】
前記不透明領域を、前記一側辺部側に近接する部位ほど透明度が低下するグラデーションを施して設けてある請求項１記載のガラス戸。
【請求項３】
不透明部をシート側辺で、その長手方向に沿って設けてある樹脂シートの複数を、それらの不透明部の夫々が前記合わせガラスの各別の側辺部で、且つ、前記可動戸枠の鍵取付け部のある側に、その長手方向に沿って配置されるように板ガラスの間に介在させて、前記不透明領域を前記合わせガラスの複数の側辺部に沿って設けてある請求項１又は２記載のガラス戸。
【発明の詳細な説明】
【技術分野】
【０００１】
本発明は、複数の板ガラスの間に樹脂シートを介在させて、接着材層を介して互いに接着してある合わせガラスの側辺部を、可動戸枠内に装着してあるガラス戸に関する。
【背景技術】
【０００２】
従来の上記ガラス戸は、全面に亘って透明の合わせガラスの側辺部を可動戸枠内に装着してあるので、光透過性を確保できる反面、クレッセントなどの鍵の取付け部の位置を外部から認識し易く、空き巣などが、鍵を解錠して屋内に侵入するために、合わせガラスの側辺部と可動戸枠との間にドライバーなどを差し込んで合わせガラスをこじ破る「こじ破り」や、合わせガラスをバールなどで叩き割る「打ち破り」によって、鍵取付け部近くの合わせガラスに解錠用の孔を明け易い問題がある。
このため、従来のガラス戸では、空き巣などに侵入を断念させるために、ポリカーボネート板などの衝撃に強い物性と厚さとを備えた樹脂シートを板ガラスの間に介在させた合わせガラスの側辺部を可動戸枠内に装着して、合わせガラスに孔を明けるに必要な衝撃力を大きくすることにより、解錠用の孔が明いてしまうまでの時間をできるだけ長くするとともに、そのための衝撃音もできるだけ大きくなるようにして、光透過性を確保できるようにしながら、防犯性の向上を図っている（例えば、特許文献１参照）。
【０００３】
【特許文献１】特開平８−２９４８号公報
【発明の開示】
【発明が解決しようとする課題】
【０００４】
上記のように、従来のガラス戸は、樹脂シートの物性や厚さを選択して防犯性の向上を図っているために、より一層の防犯性の向上を図るには、より衝撃に強い物性を備えた樹脂シートを新たに開発したり、樹脂シートの厚さを厚くするなどの必要があり、樹脂シートの新たな開発には長期間を要し、樹脂シートの厚さを厚くすると合わせガラスの厚さが厚くなって、可動戸枠の寸法形状を大きく変更する必要が生じるおそれがある。
本発明は上記実情に鑑みてなされたものであって、光透過性を確保できるようにしながら、樹脂シートの物性や厚さによらずに、防犯性の一層の向上を簡便に図れるようにすることを目的とする。
【課題を解決するための手段】
【０００５】
本発明の第１特徴構成は、複数の板ガラスの間に樹脂シートを介在させて、接着材層を介して互いに接着してある合わせガラスの側辺部を、可動戸枠内に装着してあるガラス戸であって、ガラス面における中央部よりも不透明な不透明領域を、前記合わせガラスの少なくとも一側辺部で、且つ、前記可動戸枠の鍵取付け部のある側に、その長手方向に沿わせて設けてある点にある。
【０００６】
〔作用及び効果〕
ガラス面における中央部よりも不透明な不透明領域を、合わせガラスの少なくとも一側辺部で、且つ、可動戸枠の鍵取付け部のある側に、その長手方向に沿わせて設けてあるので、鍵取付け部の実際の位置が外部から認識し難く、空き巣などが鍵取付け部近くの合わせガラスに解錠用の孔を明けようとしても、鍵取付け部から離れた部位の合わせガラスに孔を明けたときは、孔を明け直したり、孔を広げるなどの必要が生じて、解錠用の孔が明いてしまうまでの時間を長くできるとともに、衝撃音の発生回数も増やすことができるようになり、不透明領域以外の部分で光透過性を確保できるようにしながら、樹脂シートの物性や厚さによらずに、防犯性の一層の向上を簡便に図れる。
【０００７】
本発明の第２特徴構成は、前記不透明領域を、前記一側辺部側に近接する部位ほど透明度が低下するグラデーションを施して設けてある点にある。
【０００８】
〔作用及び効果〕
不透明領域を、合わせガラスの一側辺部側に近接する部位ほど透明度が低下するグラデーションを施して設けてあるので、ガラス戸の外観を損なわないように、不透明領域の境界を目立ち難くすることができる。
【０００９】
本発明の第３特徴構成は、不透明部をシート側辺で、その長手方向に沿って設けてある樹脂シートの複数を、それらの不透明部の夫々が前記合わせガラスの各別の側辺部で、且つ、前記可動戸枠の鍵取付け部のある側に、その長手方向に沿って配置されるように板ガラスの間に介在させて、前記不透明領域を前記合わせガラスの複数の側辺部に沿って設けてある点にある。
【００１０】
〔作用及び効果〕
複数の鍵取付け部を合わせガラスの複数の側辺部の各々に対応して設けてあっても、不透明部を設けてある樹脂シートを、その不透明部が、合わせガラスの各別の側辺部で、且つ、可動戸枠の鍵取付け部のある側に、その長手方向に沿って配置されるように板ガラスの間に介在させて、不透明領域を合わせガラスの複数の側辺部に沿って設けてあるので、それらの鍵取付け部の位置が外部から認識し難くなり、防犯性の一層の向上を簡便に図れる。
また、不透明部を設けてある樹脂シートを板ガラスの間に介在させて、不透明領域を合わせガラスの複数の側辺部に沿って設けるにあたって、不透明部を設けてある一枚の樹脂シートを板ガラスの間に介在させてある場合は、その不透明部を、合わせガラスの各別の側辺部で、且つ、可動戸枠の鍵取付け部のある側に、その長手方向に沿って配置できるように一枚の樹脂シートに設けておく必要があるので、可動戸枠の種々の寸法形状に応じた合わせガラスを製造する上で、樹脂シートの製作に手間が掛かり、合わせガラスの製造コストが高くなる。
上記に対して、不透明部をシート側辺で、その長手方向に沿って設けてある樹脂シートの複数を、それらの不透明部の夫々が、合わせガラスの各別の側辺部で、且つ、可動戸枠の鍵取付け部のある側に、その長手方向に沿って配置されるように板ガラスの間に介在させて設けてあるので、可動戸枠の種々の寸法形状に応じた合わせガラスを製造する上で、複数の樹脂シートを組み合わせて、不透明部を合わせガラスの各別の側辺部に沿って簡便に配置することができ、その結果、製造コストが安い合わせガラスを使用して安価に製造できる。
【発明を実施するための最良の形態】
【００１１】
以下に本発明の実施の形態を図面に基づいて説明する。
〔第１実施形態〕
図１，図２は、建物側に固定した固定戸枠１に、レール１ａに沿ってスライド移動自在に嵌め込んである引き違い戸式の開閉自在な二枚の窓用ガラス戸Ａ，Ｂを示し、この二枚のガラス戸Ａ，Ｂは、合わせガラスＣ，Ｄの側辺部を可動戸枠２ａ，２ｂ内に装着して構成してあり、可動戸枠２ａ，２ｂどうしを固定するクレッセントなどの鍵取付け部３を設けてある。
【００１２】
前記合わせガラスＣ，Ｄは、二枚の透明な矩形板ガラス（ソーダライムガラス）５の間に、ポリビニルブチラール（ＰＶＢ）やエチレンビニルアセテート（ＥＮ），ポリカーボネートなどで形成した樹脂シート６ａ，６ｂを介在させて、接着材層７を介して互いに接着し、その側辺部をガラス戸Ａ，Ｂの可動戸枠２ａ，２ｂ内に装着できるように構成してある。
【００１３】
そして、一方のガラス戸Ａの可動戸枠２ａ内に装着した合わせガラスＣに、ガラス面における中央部よりも不透明な不透明領域４を、その合わせガラスＣの一側辺部で、且つ、可動戸枠２ａの鍵取付け部３のある側に、その長手方向に沿わせて設けて、不透明領域以外の部分で光透過性を確保できるようにしながら、鍵取付け部３の位置を外部から見えなくしてある本発明によるガラス戸Ａを構成してある。
【００１４】
前記ガラス戸Ａに装着してある合わせガラスＣは、図３，図４に示すように、幅５０ｍｍ程度の帯状の着色不透明部８をシート側辺でその長手方向に沿って設けるとともに、着色不透明部８以外は透明に形成してある樹脂シート６ａを、着色不透明部８が両板ガラス５の一側辺部に位置するように、両板ガラス５の間に介在させて、接着材層７を介して互いに接着することにより、帯状の不透明領域４を設けてある。
【００１５】
前記着色不透明部８は、帯状の不透明領域４が、帯幅方向で、合わせガラスＣの一側辺部側に近接する部位ほど透明度が低下するように、グラデーション（ぼかし）を施して設けてある。
尚、他方のガラス戸Ｂは、二枚の透明な矩形板ガラス（ソーダライムガラス）５の間に、全面に亘って透明な樹脂シート６ｂを介在させて互いに接着してある、全面に亘って透明な合わせガラスＤを可動戸枠２ｂ内に装着して構成してある。
【００１６】
前記合わせガラスＣ，Ｄの製造方法を説明すると、板ガラス５にエチレン酢酸ビニル共重合体やポリビニルブチラールなどの接着材を塗布して、十分乾燥した樹脂シート６ａ，６ｂを接着し、さらにその樹脂シート６ａ，６ｂに接着材を塗布して、樹脂シート６ａ，６ｂの両側に板ガラス５を接着した積層体を構成し、次に、その積層体を減圧（７３０ｍｍＨｇ程度）下で、９０℃〜１００℃で５〜１５分維持して接着硬化させ、６０℃以下に冷却したのち減圧解除することにより、接着材が硬化した接着材層７を形成して製造してある。
【００１７】
〔第２実施形態〕
図５は、本発明によるガラス戸Ａの可動戸枠２ａ内に装着する合わせガラスＣの別実施形態を示し、幅５０ｍｍ程度の帯状の樹脂製着色不透明フィルム９を、全体が透明な樹脂シート６ａのシート側辺でその長手方向に沿って接着するとともに、これらの着色不透明フィルム９と樹脂シート６ａとを、着色不透明フィルム９が両板ガラス５の一側辺部に位置するように、両板ガラス５の間に介在させて、接着材層７を介して互いに接着することにより、帯状の不透明領域４を設けてある。
【００１８】
本実施形態においても、帯状の不透明領域４が、帯幅方向で、合わせガラスＣの一側辺部側に近接する部位ほど透明度が低下するように、着色不透明フィルム９にグラデーションを施してある。
その他の構成は第１実施形態と同様である。
【００１９】
〔第３実施形態〕
図６は、本発明によるガラス戸Ａの可動戸枠２ａ内に装着する合わせガラスＣの別実施形態を示し、幅５０ｍｍ程度の帯状の樹脂製着色不透明フィルム９を、一方の板ガラス５の外面側一側辺部にその長手方向に沿って接着することにより帯状の不透明領域４を設けて、この合わせガラスＣの側辺部を、着色不透明フィルム９側を建物内側に位置させて、可動戸枠２ａ内に装着できるように構成してある。
【００２０】
本実施形態においても、帯状の不透明領域４が、帯幅方向で、合わせガラスＣの一側辺部側に近接する部位ほど透明度が低下するように、着色不透明フィルム９にグラデーションを施してある。
その他の構成は第１実施形態と同様である。
【００２１】
〔第４実施形態〕
図７，図８は、建物側に固定した固定戸枠１に、レール１ａに沿ってスライド移動自在に嵌め込んである引き違い戸式の開閉自在な二枚の窓用ガラス戸Ａ，Ｂを示し、これらのガラス戸Ａ，Ｂには、可動戸枠２ａ，２ｂどうしを固定する鍵取付け部３に加えて、一方のガラス戸Ａの可動戸枠２ａと固定戸枠１とを固定する補助鍵取付け部１０を設けてある。
【００２２】
図９，図１０は、上記二枚のガラス戸Ａ，Ｂのうちの、鍵取付け部３と補助鍵取付け部１０とを備えた本発明によるガラス戸Ａの可動戸枠２ａ内に装着する合わせガラスＣを示し、幅５０ｍｍ程度の帯状の着色不透明部８をシート側辺でその長手方向に沿って設けるとともに、着色不透明部８以外は透明に形成してある樹脂シート６ａの２枚を、それらの不透明部８の夫々が合わせガラスＣの互いに対向する各別の側辺部で、鍵取付け部３のある側と補助鍵取付け部１０のある側とに、その長手方向に沿って配置されるよう互いに接着して板ガラス５の間に介在させることにより、帯状の不透明領域４を合わせガラスＣの二つの互いに対向する側辺部に沿って設けてある。
【００２３】
そして、上記合わせガラスＣをガラス戸Ａに装着することにより、図７，図８に示すように、一方のガラス戸Ａの二つの不透明領域４を、可動戸枠１ａ，２ｂどうしを固定する鍵取付け部３のある側と、補助鍵取付け部１０のある側との各々に沿わせて設けて、各鍵取付け部３，１０の位置を外部から見えなくしてある。
【００２４】
本実施形態においても、帯状の各不透明領域４が、帯幅方向で、合わせガラスＣの一側辺部側に近接する部位ほど透明度が低下するように、着色不透明部８にグラデーションを施してある。
その他の構成は第１実施形態と同様である。
【００２５】
〔その他の実施形態〕
１．本発明によるガラス戸は、ガラス戸内外の明るさなどを考慮して、鍵取付け部の位置を外部から認識し難い程度の不透明領域を設けてあれば良い。
２．本発明によるガラス戸は、不透明領域を、合わせガラスの少なくとも一側辺部で、且つ、可動戸枠の鍵取付け部のある側を覆う状態で、その長手方向に沿わせて部分的に設けてあっても良い。
３．本発明によるガラス戸に装着する合わせガラスは、全周に亘って不透明領域を設けてあっても良い。
４．本発明によるガラス戸に装着する合わせガラスは、板ガラス自体を着色した不透明領域を設けてあっても良い。
５．本発明によるガラス戸に装着する合わせガラスは、板ガラスの板面を粗面にした摺りガラス状の不透明領域を設けてあっても良い。
６．本発明によるガラス戸に装着する合わせガラスは、グラデーションを施していない不透明領域を設けてあっても良い。
７．本発明によるガラス戸に装着する合わせガラスは、三枚以上の板ガラスの間の各々に樹脂シートを介在させて、接着材層を介して互いに接着してあっても良い。
８．本発明によるガラス戸は、不透明領域を設けてある合わせガラスを可動戸枠内の一部に装着してあっても良い。
９．本発明によるガラス戸は、揺動開閉式のガラス戸であっても良い。
１０．本発明によるガラス戸は、採光や通風のための窓用のガラス戸の他、人が出入りするためのガラス戸であっても良い。
【図面の簡単な説明】
【００２６】
【図１】ガラス戸の側面図
【図２】ガラス戸の横断面図
【図３】合わせガラスの斜視図
【図４】合わせガラスの断面図
【図５】第２実施形態を示す合わせガラスの断面図
【図６】第３実施形態を示す合わせガラスの断面図
【図７】第４実施形態を示すガラス戸の側面図
【図８】第４実施形態を示すガラス戸の横断面図
【図９】第４実施形態を示す合わせガラスの斜視図
【図１０】第４実施形態を示す合わせガラスの断面図
【符号の説明】
【００２７】
２ａ  可動戸枠
３    鍵取付け部
４    不透明領域
５    板ガラス
６ａ  樹脂シート
７    接着材層
８    不透明部
１０  鍵取付け部
Ｃ    合わせガラス
【図１】
2005083075.tif 000003
【図２】
2005083075.tif 000004
【図３】
2005083075.tif 000005
【図４】
2005083075.tif 000006
【図５】
2005083075.tif 000007
【図６】
2005083075.tif 000008
【図７】
2005083075.tif 000009
【図８】
2005083075.tif 000010
【図９】
2005083075.tif 000011
【図１０】
2005083075.tif 000012